(57)【特許請求の範囲】
【請求項１】
少なくとも上段部と下段部とを備えた墓において、
前記下段部は納骨室を形成する少なくとも２つの側壁石を備え、各側壁石の接合領域にそれぞれの側壁石の端部同士を相互に固定する固定部材を設け、
前記下段部の下方に設けられる基礎部と、この基礎部に固定されて基礎部表面から鉛直上方に突出する棒状連結部材とを更に備え、
前記側壁石にその上面から下面へ貫通する側壁石貫通穴を形成し、この側壁石貫通穴に前記棒状連結部材が挿入されるように前記側壁石が配置され、前記棒状連結部材に形成された固定構造によって前記固定部材を棒状連結部材に固定することを特徴とする墓。
【請求項２】
前記上段部は鉛直方向に立設される墓石を備え、この墓石の内部には上端部近傍まで墓石開口穴が形成され、当該墓石開口穴に前記基礎部から延設される前記棒状連結部材が挿入されることを特徴とする請求項１に記載の墓。
【請求項３】
前記棒状連結部材は所定の接着性材料により前記基礎部貫通穴に固定されていることを特徴とする請求項１又は２に記載の墓。
【請求項４】
前記下段部と基礎部との間には所定の摩擦部材が介挿されていることを特徴とする請求項１〜３の何れか一項に記載の墓。
【請求項５】
前記上段部は台座石又は拝石を備え、これら台座石又は拝石上には付属碑，線香台，献花台又は生花台が設けられ、前記付属碑，線香台，献花台又は生花台の下面には前記台座石又は拝石上に形成された凹部に対応する突起状のダボを備え、このダボは墓の前後方向に沿って長く形成されていることを特徴とする請求項１〜４の何れか一項に記載の墓。
【請求項６】
請求項１〜５に記載の墓を少なくとも２組備え、これら各墓の境界領域に所定の共有花壇部を設けることを特徴とする墓組合せ体。
【請求項７】
前記共有花壇部は、前記下段部の側壁石の一部を形成することを特徴とする請求項６に記載の墓組合せ体。
【発明の詳細な説明】
【技術分野】
【０００１】
本発明は墓及びこれを用いた墓組合せ体に係り、特に、複数の石材を組み合わせた墓であって、優れた耐震構造を有する墓及びこれを用いた墓組合せ体に関する。また本発明は、狭い面積の墓でもそれらの組合せにより共有の植栽スペースを確保し、且つ、故人の想い或いは故人への想いを表す付属碑を備える墓に関する。
【背景技術】
【０００２】
従来から、墓を構成する墓石や基礎部分などの石材は、特別な結合具などを用いずに積み重ねられていた。このため、地震などにより墓に揺れが加わった場合には、墓自体が倒壊してしまうという問題があった。このような問題は、高さの高い墓石などで特に顕著である。
【０００３】
このような問題を解決するために、最下段の石材と最上段の石材とを連結棒で連結する構造の墓が開示されている（特許文献１参照。）。これは、最上段の竿石６に連結棒７をねじ込み、その後竿石６を設置して連結棒７の下端を芝台３にナット７９で固定するものである。
【特許文献１】特開２００５−７６１９１号（特に、図１）
【発明の開示】
【発明が解決しようとする課題】
【０００４】
しかしながら、上記した連結棒用いた墓の場合、芝台３の下面で固定されているナット７９を緩めない限り墓を分解することができず煩雑である。また、竿石６は最下部のみが連結棒７と連結されているのみであるため、大きな横方向の揺れが加わった場合には最下部が崩壊して、竿石６が倒壊することも考えられる。
【課題を解決するための手段】
【０００５】
本発明は上記した問題に鑑みてなされたものであり、少なくとも上段部と下段部とを備えた墓において、前記下段部は納骨室を形成する少なくとも２つの側壁石を備え、各側壁石の接合領域にそれぞれの側壁石の端部同士を相互に固定する固定部材を設ける、という手段を採っている。
【０００６】
また、本発明は、前記下段部の下方に設けられる基礎部と、この基礎部に固定されて基礎部表面から鉛直上方に突出する棒状連結部材とを更に備え、前記側壁石にその上面から下面へ貫通する側壁石貫通穴を形成し、この側壁石貫通穴に前記棒状連結部材が挿入されるように前記側壁石が配置され、前記棒状連結部材に形成された固定構造によって前記固定部材を棒状連結部材に固定する、という手段を採っている。
【０００７】
また、本発明は、前記上段部は鉛直方向に立設される墓石を備え、この墓石の内部には上端部近傍まで墓石開口穴が形成され、当該墓石開口穴に前記基礎部から延設される棒状連結部材が挿入される、という手段を採っている。
【０００８】
また、本発明は、前記棒状連結部材は所定の接着性材料により前記基礎部貫通穴に固定されている、という手段を採っている。
また、本発明は、前記下段部と基礎部との間には所定の摩擦部材が介挿されている、という手段を採っている。
【０００９】
また、本発明は、前記上段部は台座石又は拝石を備え、これら台座石又は拝石上には付属碑，線香台，献花台又は生花台が設けられ、前記付属碑，線香台，献花台又は生花台の下面には前記台座石又は拝石上に形成された凹部に対応する突起状のダボを備え、このダボは墓の前後方向に沿って長く形成されている、という手段を採っている。
【００１０】
また、本発明は、墓を少なくとも２組備えた墓組合せ体であって、これら各墓の境界領域に所定の共有花壇部を設ける、という手段を採っている。
また、本発明は、上記墓を少なくとも２組備え、これら各墓の境界領域に所定の共有花壇部を設ける、という手段を採っている。
【００１１】
更に、本発明は、前記共有花壇部は、前記下段部の側壁石の一部を形成する、という手段を採っている。
【発明を実施するための最良の形態】
【００１２】
次に、各図面に基づいて本発明の一実施形態について説明する。
［全体概要］
図１は、本実施形態に係る墓の各部分を分解して示す平面図である。ここで、図１（ａ）は上段部１０を示し、図１（ｂ）は下段部３０を示し、更に図１（ｃ）は基礎部５０を示している。尚、図１において図の左方を墓の前方、図の右方を墓の後方として説明する。また、説明の便宜上、基礎部５０、下段部３０、上段部１０の順に説明する。
【００１３】
［基礎部］
先ず、基礎部５０は地中に埋設される部分であり、外形が直方体形状をしている。この基礎部５０はコンクリートにより形成されている。基礎部５０の略中央には基礎部納骨室５１となる空間が形成されている。この実施形態に係る基礎部納骨室５１は直方体形状をしている。また、基礎部５０の前方（図では左方）には散骨室５２となる空間が形成されている。この散骨室５２も直方体形状となっている。
【００１４】
基礎部納骨室５１の四隅近傍には、２個で1組となった４組で合計８個の基礎部貫通穴５３が形成されている。この基礎部貫通穴５３は、基礎部５０の上面から下面まで鉛直に貫通する穴である。この基礎部貫通穴は、後述するように基礎部５０と下段部３０及び上段部１０との連結のために用いられるものであり、その詳細は後述する。また、散骨室５２の更に前方（図の左方）には、２つの前方開口穴５４が形成されている。この前方開口穴５４は基礎部５０の上面から下面に向かって鉛直に延びる穴であるが、基礎部５０の厚さに対して半分程度の深さの有底穴である。本実施形態では散骨室５２から所定距離だけ離れた２つの前方開口穴５４が形成されている。但し、本発明では前方開口穴５４の個数は２つに限定されるものではなく、１個でも良いし３個以上であってもよい。
【００１５】
尚、基礎部はコンクリートで形成するだけでなく、通常の石材で形成するようにしてもよい。
［下段部］
次に、下段部３０について説明する。下段部３０は下段部納骨室３１を形成する４つの側壁石３２ａ，３２ｂ，３２ｃ，３２ｄと、前方花壇３３を形成する前方花壇壁３４と備えている。また、下段部納骨室３１の底面には基礎部５０上に載置される納骨室床部材３５が配置されている。さらに、４つの側壁石３２ａ，３２ｂ，３２ｃ，３２ｄの各接合部分には、それぞれ長方形で板状の固定部材３６ａ，３６ｂが取り付けられている。以下にこれらを詳しく説明する。
【００１６】
４つの側壁石３２ａ，３２ｂ，３２ｃ，３２ｄの下段部納骨室３１に面する部分は全て同じ高さを有しており、それぞれの側壁石３２ａ，３２ｂ，３２ｃ，３２ｄが直方体形状の空間を形成するようになっている。そして、このように４つの側壁石３２ａ，３２ｂ，３２ｃ，３２ｄで囲まれた空間が下段部納骨室３１となる。各側壁石３２ａ，３２ｂ，３２ｃ，３２ｄには、上面から下面に貫通する側壁石貫通穴３７ａ，３７ｂが形成されている。これらの側壁石貫通穴３７ａ，３７ｂは上記した基礎部貫通穴５３に対応する位置にそれぞれ形成されている。側壁石貫通穴３７ａ，３７ｂは、後述するように基礎部５０、下段部３０及び上段部１０とを相互に連結するための棒状連結部材４０ａ，４０ｂを挿入するためのものである。
【００１７】
左右両側（図１（ｂ）では上下）の側壁石３２ｂ，３２ｃは、下段部納骨室３１を超えて前方（図１（ｂ）では左方）へ延びている。そして、各側壁石３２ｂ，３２ｃの前方端に前方花壇壁３４が当接しており、これらの石材により直方体形状の花壇３３が形成される。この花壇３３には植栽用土が入れられ自然の草花や木などが植栽される。前方花壇壁３４の下面には花壇壁開口穴３７ｃが形成されている。この花壇壁開口穴３７ｃは基礎部５０の基礎部開口穴５４に対応して設けられている。花壇壁開口穴３７ｃの深さは、前方花壇壁３４の高さの半分程度である。
【００１８】
また、基礎部５０と下段部３０との間には所定の摩擦部材４１が設けられている。摩擦部材４１は基礎部５０と下段部３０との間に介挿されるシート状の部材であり、ゴム、発泡剤、樹脂などの材料で作られたものである。この摩擦部材４１を設ける理由は、地震などで墓に揺れが加わった場合でも、基礎部５０と下段部３０とが相互にずれたりしないようにするためである。但し、当該摩擦部材４１は本発明に必須なものではない。
【００１９】
［上段部］
次に、上段部１０について説明する。上段部１０は主に、墓石１１と、台座石１２と拝石１３とからなる。台座石１２は下段部３０上の後方（図１（ａ）では右方）に配置されており、下段部納骨室３１の一部を上方から覆うようになっている。また、台座石１２上には墓石１１が立設されている。墓石１１内には墓石開口穴１１ａが高さ方向上端部近傍まで鉛直方向に形成されており、この墓石開口穴１１ａ内に基礎部５０及び下段部３０から延びる棒状連結部材４０ａが挿入されている。更に、台座石１２上の墓石１１の前方には付属碑１４及び献花具２０が設置されている。付属碑１４の底面には突起状のいわゆるダボ１４ａが形成されると共に、台座石１２の表面にはダボ１４ａに対応する凹部が設けられている。そして、この凹部に付属碑１４のダボ１４ａを挿入することで、付属碑１４を台座石１２に固定することができる。ここで、付属碑１４のダボ１４ａは墓の前後方向に沿って長い形状となっている。これは、地震などで揺れが加わった場合に、ダボ１４ａが折れても付属碑１４が横方向に倒れて、前方には倒れてこないようにするためである。ここで付属碑１４は、墓石本体とは別に、特定の故人や夫婦等の「想い」或いは、逆に故人への「想い」を表すために、墓石の前に設置する「想いの碑」としての役割を有するものである。具体的には、故人が好んだ詩や歌詞、或いは言葉の他、故人が或いは故人に伝えたい事柄を刻んだり、写真を焼き付けたプレートを装着したりする。また、従来からある墓誌（戒名等を彫刻する）と同様にも使用できる。
【００２０】
また、台座石１２には上面から下面に貫通する台座石貫通穴１５が形成されている。台座石貫通穴１５の位置は最も長い棒状連結部材４０ａに対応する位置である。更に、台座石１２の下面には固定部材３６ａ及びこれを固定するためのナット１６と干渉しなように、所定の台座石凹部１７が形成されている。この台座石凹部１７は、墓の後方の側壁石３２ａと左右両側の側壁石３２ｂ．３２ｃとを連結するための固定部材３６ａの位置に対応して形成されている。具体的には、図２に示すように、ナット１６で固定部材３６ａが固定された場合に、ナット１６の上面に接触しない深さが確保された凹部である。このような台座石凹部１７を形成することで、台座石１２を下段部３０上に載置した場合に、下段部３０の上面と台座石１２の下面とが密着するようになる。
【００２１】
また、台座石１２の前方には拝石１３が設けられている。この拝石１３は下段部納骨室３１における台座石１２で覆われない残りの部分を覆うものである。この拝石１３は台座石１２よりも厚さが薄く形成されており、拝石１３の後方部分が台座石１２の前方部分に形成された前方凹部１８に嵌り込むようになっている。但し、本発明はこのように拝石１３を台座石１２に嵌め込むような構造に限定されるものではなく、単純に拝石１３を下段部３０上に載置する構造であってもよい。
【００２２】
拝石１３の下面には、台座石１２の下面と同様に、固定部材３６ｂ及びこれを固定するためのナット１６と干渉しなように、所定の拝石凹部１９が形成されている。この拝石凹部１９は、墓の前方の側壁石３２ｄと左右両側の側壁石３２ｂ，３２ｃとを連結するための固定部材３６ｂの位置に対応して形成されている。このような拝石凹部１９を形成することで、拝石１３を下段部３０上に載置した場合に下段部３０の上面と拝石１３の下面とが密着するようになる。
【００２３】
拝石１３の上面には線香台２１及び生花台２２とが設けられている。線香台２１及び生花台２２の底面にも突起状のいわゆるダボ２１ａ，２２ａが形成されると共に、拝石１３の表面にはダボ２１ａ，２２ａに対応する凹部が設けられている。そして、この凹部に線香台２１及び生花台２２のダボ２１ａ，２２ａを挿入することで、拝石１３に固定することができる。ここで、線香台２１及び生花台２２のダボ２１ａ，２２ａも墓の前後方向に沿って長い形状となっている。これは、地震などで揺れが加わった場合に、ダボ２１ａ，２１ｂが折れても線香台２１や生花台２２が横方向に倒れて、前方には倒れてこないようにするためである。この点では付属碑１４の構造と同様である。
【００２４】
［施工方法」
次に、本実施形態に係る墓の施工方法について説明する。
先ず、最初に基礎部５０が形成される。本実施形態にかかる基礎部５０はコンクリート打ちによって形成される。具体的には、地面に基礎部５０の高さに相当する深さの長方形の穴を掘り、この穴の周囲部に型枠を組む。また、基礎部納骨室５１と散骨室５２に相当する部分にも型枠を組む。更に、基礎部貫通穴５３及び基礎部開口穴５４に相当する位置にも円柱状若しくは円筒状の部材を配置する。この状態で型枠内に鉄筋を配置した後にコンクリートを流し込み硬化させる。基礎部５０が硬化したら型枠や基礎部貫通穴５３、基礎部開口穴５４用の円柱状部材を取り外す。
【００２５】
型枠等を取り外したら、各基礎部貫通穴５３に棒状連結部材４０ａ，４０ｂをそれぞれ挿入する。棒状連結部材４０ａ，４０ｂにおける下段部３０の上面付近には固定構造としてのネジが形成されている。但し、全体にネジが形成されている棒状連結部材を使用してもよい。棒状連結部材４０ａ，４０ｂを基礎部貫通穴５３に挿入する際には、接着剤，セメント或いはモルタルなどを基礎部貫通穴５３に充填した上で行う。これは、棒状連結部材４０ａ，４０ｂを基礎部５０に固定するためである。但し、本発明は接着剤などによる固定に限定されるものではなく、例えば棒状連結部材４０ａ，４０ｂの下端に雄ネジを形成し、ナットなどを用いて基礎部５０の下面に固定するようにしてもよい。ここで、墓の最も後方に配置される棒状連結部材４０ａは、それ以外の棒状連結部材４０ｂよりも長くなっている。具体的には、墓石１１の上端部近傍にまで達する程度の長さである。これは、後述するように墓石１１が倒れないように支持するためである。一方、それ以外の棒状連結部材４０ｂは、下段部３０の上面から僅かに突出する程度の長さに設定されている。これらの棒状連結部材４０ｂは下段部３０を基礎部５０に対して固定する役割を有するからである。
【００２６】
また、基礎部５０の最前方部であって、前方花壇壁３４に対応する位置の基礎部開口穴５４にも棒状連結部材４０ｃが固定される。この棒状連結部材４０ｃの長さは、基礎部５０の高さ程度である。ここで、基礎部開口穴５４の深さは基礎部５０の高さの半分程度であるので、棒状連結部材４０ｃの上部半分程度は基礎部５０から上方へ突出している。
【００２７】
次に下段部３０の施工について説明する。下段部３０を施工する前に、基礎部５０の上面であって基礎部納骨室５１及び散骨室５２並びに基礎部貫通穴５３，基礎部開口穴５４以外の部分に摩擦部材４１を配置する。そして、摩擦部材４１の上に各側壁石３２ａ，３２ｂ，３２ｃ，３２ｄ及び前方花壇壁３４を設置する。各側壁石３２ａ，３２ｂ，３２ｃ，３２ｄを摩擦部材４１上に設置する際には、側壁石貫通穴３７ａ，３７ｂに棒状連結部材４０ａ，４０ｂが挿入されるようにする。また、前方花壇壁３４を設置する際には、基礎部５０の上面から突出している棒状連結部材４０ｃが花壇壁開口穴３７ｃに挿入されるようにする。尚、基礎部５０上に下段部３０を設置した後に、上記各棒状連結部材４０ａ，４０ｂを固定するようにしてもよい。
【００２８】
下段部３０が基礎部５０上に設置された場合には、板状の固定部材３６ａ，３６ｂを棒状連結部材４０ａ，４０ｂに取り付ける。固定部材３６ａ，３６ｂには２つの穴が形成されており、この２つの穴に棒状連結部材４０ａ，４０ｂが挿入される。そして、固定部材３６ａ，３６ｂの上から棒状連結部材４０ａ，４０ｂのネジ部にナット１６を螺着させる。これにより、各側壁石３２ａ，３２ｂ，３２ｃ，３２ｄが基礎部５０に対して固定されると共に、相互に隣接する側壁石の端部同士が固定部材３６ａ，３６ｂで固定されることになる。これにより、基礎部５０と下段部３０とは、水平方向の揺れや鉛直方向の揺れに対しても、優れた耐震構造となる。また、前方花壇壁３４も棒状連結部材４０ｃにより基礎部５０と連結されるので、地震などの揺れに対しても倒壊することはない。尚、基礎部５０と下段部３０との間にも固定部材とナットを配置し、下段部３０を上下から挟み込むようにして固定してもよい。また、上記説明では、板状の固定部材３６ａ，３６ｂを用いているが、本発明はこれに限定されるものではない。例えば、Ｌ字状の固定部材を用い、下段部納骨室３１を形成する側壁石同士を相互に固定するようにしてもよい。
【００２９】
次に、上段部１０の施工について説明する。先ず、下段部３０の後方領域に台座石１２を設置する。このとき、台座石１２には台座石貫通穴１５が形成されており、この台座石貫通穴１５に棒状連結部材４０ａが挿入されるように位置決めして設置する。そして、台座石１２が設置されたら棒状連結部材４０ａの上端からナット１６ｂを挿入し、このナット１６ｂで板状の固定部材３６ｃを棒状連結部材４０ａに固定することにより、台座石１２を固定する。台座石１２が固定されたら墓石１１を設置する。墓石１１には内部に墓石開口穴１１ａが形成されているので、この墓石開口穴１１ａに棒状連結部材４０ａが挿入されるように上方から鉛直下方に吊り下ろして設置する。墓石１１が台座石１２上に設置されると、棒状連結部材４０ａの上端部が墓石１１の上端付近まで到達するので、地震などで墓石１１に揺れが加わった場合でも倒壊することがない。尚、施工場所の状況によって墓石を高く吊り上げることができない場合もある。その場合、長い１本の棒状連結部材４０ａを用いると、墓石を設置できないことも考えさられる。このような場合には、長さの短い棒状連結部材を２本用い、これらを長いナットで連結して使用すればよい。
【００３０】
次に、台座石１２上の墓石１１の前方に付属碑１４と献花台２０を設置する。付属碑１２と献花台２０とは上記したように下面にダボ１４ａがそれぞれ設けられているので、このダボ１４ａを台座石１２の凹部に差し込んで設置する。献花台２０には、生花を飾ることもできるが、年間を通して墓に彩りを与えるために、増加を飾るようにしてもよい。
【００３１】
次に、拝石１３を設置する。拝石１３を設置する場合には拝石１３の前方部（図２では左方）を持ち上げた状態で拝石１３の後方を台座石１２の前方凹部１８に挿入する。拝石１３の後部が台座石１２の前方凹部１８に概ね挿入されたら、拝石１３の前方を下げる。拝石１３の下面には拝石凹部１９が形成されているので、ナット１６と干渉することなく下段部３０の上面と密着する。このとき、ナット１６と拝石凹部１９との水平方向の隙間は、台座石１２の前方凹部１８の奥行きよりも短く設定されている。このため、地震などで拝石１３に横揺れが加わった場合でも、拝石１３が台座石１２の前方凹部１８から外れる前にナット１６に当接し、それ以上は移動しなくなる。この結果、拝石１３が不用意に外れて落下することはない。
【００３２】
そして、拝石１３が設置されたら、拝石１３上に線香台２１と生花台２２を設置する。上記したように、線香台２１と生花台２２とは下面にダボ２１ａ，２２ａがそれぞれ設けられているので、このダボ２１ａ，２２ａを拝石１３の凹部に差し込んで設置する。それぞれのダボ２１ａ，２２ａは上記したように墓の前後方向に沿って長く形成されているので、地震などでダボ２１ａ，２２ａが折れた場合でも墓の前後方向には倒れず、左右方向に倒れやすい。このため、墓の前方に人がいる場合でも、線香台２１や生花台２２が人の方に倒れてくることはない。
【００３３】
以上の施工手順により、図３に示すような墓が完成する。尚、以上の施工手順は一例であって、必ずしも上記施工手順に限定される訳ではない。即ち、上段部１０の施工においては、拝石１３を設置した後に台座石１２及び墓石１１を設置してもよい。
【００３４】
次に、本発明の他の実施形態について説明する。当該実施形態では、複数の墓で１つの共有花壇部を共有することを特徴としている。図４に示すように、本実施形態では、４つの墓７１ａ，７１ｂ，７１ｃ，７１ｄに１つの共有花壇部７３を設けた墓組合せ体の例が示されている。
【００３５】
共有花壇部７３は、各墓７１ａ，７１ｂ，７１ｃ，７１ｄの境界領域に設けられており、具体的にはそれぞれの墓の後方の隅に設けられている。共有花壇部７３は筒状の部材からなり、この共有花壇部７３に植物用土が充填され、草木が植栽される。本実施形態の共有花壇部７３は、正方形の四隅が内側に円弧状に凹んだ形状をしている。これは、下段部納骨室３１内に円形の骨壷（図示略）を収納した場合に、共有花壇部７３が骨壷の収納の邪魔にならないようにするためである。但し、本発明ではこのような形状に限定されるものではなく、単純な正方形や正八角形などの形状であっても良い。また、円形であってもよい。
【００３６】
また、共有花壇部７３を構成する部材は、墓の下段部３０を構成する側壁石３２ａ，３２ｂ，３２ｃ，３２ｄの一部を兼ねるようにしてもよい。図５は、正方形の共有花壇部７５を用いて、この共有花壇部７５が側壁石３２ａと３２ｂの一部を兼ねた場合を示す平面図である。この図に示すように、後方の側壁石３２ａと左方の側壁石３２ｂが出会う場所に共有花壇部７５が設けられている。このため、共有花壇部７５の壁面が下段部納骨室３１の壁の一部を構成するようになっている。
【００３７】
このように、側壁石の一部を兼ねるように共有花壇部７５を設けることで、部材の効率的な利用が可能となる。それと同時に、複数の墓の境界領域に共通の共有花壇部７３，７５を設けることで、狭い敷地の墓地に墓組合せ体を設置する場合でも、効率良く植栽を設置することが可能となる。尚、共有花壇部は４つの墓に１つ設ける場合の他、２つの墓に１つ設けるようにしてもよい。この場合には、各墓の後方部に共有花壇部を配置することとなる。
【００３８】
また、上記のような共有花壇部ではなく、図６に示すような、多数の墓９１の後方に列状の共有花壇部７７を設けるようにしてもよい。
以上のような共有花壇部７３，７５、７７は、本発明の耐震構造に優れた墓に適用することが可能であるが、本発明はこれに限定されるものではなく、通常の墓石を単純に積み重ねるだけの墓にも適用することが可能である。
【産業上の利用可能性】
【００３９】
墓及び墓組合せ体の施工に利用できる。
【図面の簡単な説明】
【００４０】
【図１】本発明の一実施形態に係る墓を示す平面図であり、図１（ａ）は上段部、図１（ｂ）は下段部、図１（ｃ）は基礎部をそれぞれ示す。
【図２】図１のII−II線に沿った断面図を示す。
【図３】図１に開示した墓の斜視図を示す。
【図４】本発明の他の実施形態に係る墓組合せ体を示す平面図である。
【図５】図４に開示した墓組合せ体の変形例を示す平面図である。
【図６】図４に開示した墓組合せ体の他の変形例を示す平面図である。
【符号の説明】
【００４１】
１０  上段部
１１  墓石
１２  台座石
１３  拝石
３０  花壇部
３１  下段部納骨室
２３２ａ，３２ｂ，３２ｃ，３２ｄ  側壁石
３４  前方花壇壁
３６ａ，３６ｂ  固定部材
３７ａ，３７ｂ  側壁石貫通穴
３７ｃ  花壇壁開口穴
４０ａ，４０ｂ，４０ｃ  棒状連結部材
４１  摩擦部材
５０  基礎部
５１  基礎部納骨室
５３  基礎部貫通穴
５４  基礎部開口穴
７３，７５  共有花壇部
【図１】
0004559323.tif 000002
【図２】
0004559323.tif 000003
【図３】
0004559323.tif 000004
【図４】
0004559323.tif 000005
【図５】
0004559323.tif 000006
【図６】
0004559323.tif 000007